(57)【要約】【課題】自動車内をはじめ屋外で用を足す時に、他人から見られる心配もなく用を足すことができ、またその後の糞尿の後処理も衛生的に簡単に行うことができる簡易携帯用トイレ具を提供することにある。【解決手段】カーテン支持レール１と、このレール１に吊下げて人体の少なくとも下半身を覆うカーテン２と、上部を開口してなる有底の糞尿受け容器４と、上部を開閉できて上記容器内に交換可能に収納できる気密性を有する糞尿廃棄袋５と、この糞尿廃棄袋内に入れて糞尿の水分を吸収する吸収材６とからなる。【選択図】　図１
0003097934.tif 000002
【実用新案登録請求の範囲】
【請求項１】
中央に位置した人ひとりの周囲に配置できるカーテン支持レールと、このレールに吊下げて前記の人の少なくとも下半身を覆うカーテンと、このカーテンで囲繞される中に配して使用する、上部を開口してなる有底の糞尿受け容器と、上部を開閉できて上記容器内に交換可能に収納できる気密性を有する糞尿廃棄袋と、この糞尿廃棄袋内に入れて糞尿の水分を吸収する吸収材とからなる簡易携帯用トイレ具。
【請求項２】
糞尿廃棄袋内に消臭材および／または芳香剤を入れた請求項１記載の簡易携帯用トイレ具。
【考案の詳細な説明】
【０００１】
【産業上の利用分野】
この考案は、自動車で外出や、キャンプや登山等の際に携帯していくと便利な簡易携帯トイレに関し、特に一般道路や高速道路等を走行中に自動車内で女性や子供等が急に用を足したくなった時に有用な簡易携帯トイレに関するものである。
【０００２】
【従来の技術】
一般にキャンプやハイキング、登山等のアウトドアスポーツで屋外に出かけた場合に、急に用を足したくなることがあるが、このような時に近くにトイレがないことが多い。また、家族旅行等で高速道路を走行中に子供や女性が急に用を足したいと言い出すことがある。
【０００３】
【考案が解決しようとする課題】
このような場合に子供であれば車内でビニール袋等に用を足すこともできる。しかし、成人女性等の場合は、同乗者や対向車等からの人目もあり、子供のように車内で用を足すことができないのが現状である。また、トイレ施設のないキャンプ場等の場合も、女性等がテントやバンガロの外で用を足すのには抵抗があった。
【０００４】
なお、携帯トイレの特許文献としては下記のようなものがある。
【特許文献１】特開２００２−７８６４２号公報
【０００５】
この考案は、上記のような点に鑑みて開発されたものであって、その目的とするところは、自動車内をはじめ屋外で用を足す時に、他人から見られる心配もなく用を足すことができ、またその後の糞尿の後処理も衛生的に簡単に行うことができる簡易携帯用トイレ具を提供することにある。
【０００６】
【課題を解決するための手段】
この考案は上記した目的を有効に達成するために、次のような構成にしてある。すなわち、請求項１に記載のこの考案の簡易携帯用トイレ具は、中央に位置した人ひとりの周囲に配置できるカーテン支持レールと、このレールに吊下げて前記の人の少なくとも下半身を覆うカーテンと、このカーテンで囲繞される中に配して使用する、上部を開口してなる有底の糞尿受け容器と、上部を開閉できて上記容器内に交換可能に収納できる気密性を有する糞尿廃棄袋と、この糞尿廃棄袋内に入れて糞尿の水分を吸収する吸収材とからなる構成のものである。
【０００７】
請求項２に記載のこの考案の簡易携帯用トイレ具は、請求項１に記載の簡易携帯用トイレ具の構成において、糞尿廃棄袋内に消臭材および／または芳香剤を入れた構成のものである。
【０００８】
【考案の実施の形態】
以下、この考案の実施の形態について説明する。
図１〜図４は、この考案の簡易携帯用トイレ具に関する図であり、１は、環状のカーテン支持レールであって、中央に位置した人ひとりの周囲を囲める大きさであって、カーテン２の上部を直接または係止部材３を介して摺動可能に係止できる。また、このカーテン支持レール１は、中央の２箇所を蝶番７、７で接続して折り畳めるものであれば使用しないときの保管に便利である。カーテン支持レール１の材質は、アルミ材や、合成樹脂の成形部材等の軽量のものが好ましい。さらに、この考案におけるカーテン支持レールの環状とは、円形、楕円形、正方形、長方形等をはじめ、一部が欠けた形状の上記円形や楕円形等、あるいは人ひとりを隠せるようにカーテンを支持できるものであれば、上記した形状に限らずその他の形状であってもよい。また、カーテン支持レール１は紐等で一時的に車内の天井の適宜箇所に吊下げられるようにしてもよい。
【０００９】
上記したカーテン２は、不透明なビニール製の部材や、織布や不織布等の生地で形成されたものであって、用を足すためにしゃがんだ時、少なくとも下半身を周囲の人目から隠すことができる大きさである。勿論、カーテン２は、しゃがんだ時に全身を隠すことができればなおよく、さらに、立っても全身を隠すことができるものでもよい。また、このカーテン２は、いわゆる上記した生地で形成した多数の細長い縦長部材２ａを並べて折り畳み自在に連結した所謂カーテンが好ましい。このカーテンであれば、各縦長部材を重ねて全体を小さく折り畳める。勿論、カーテン２は、１枚生地で形成したもの、或いは複数枚の生地を縫着して形成したものでもよい。また、カーテン２の少なくとも一箇所を縦に分離されていて（図示省略）、この分離した箇所の対峙する縦縁部に着脱自在なテープまたは磁石またはホックまたはボタンを取付けて、この箇所からカーテンを開けたり、閉じたりできるようにしてある。
【００１０】
４は上部を開口してなる有底の糞尿受け容器であり、上記したカーテン２で人ひとりを囲繞した時にカーテン内に隠れる合成樹脂製または金属製等の半円状の容器であり、安定するように底部は平たく形成したものである。また、糞尿受け容器４の上端部分は、用を足すときにお尻を載せたときに、お尻が痛くならずにかつ安定して載せられるように、少し外側に円弧のフランジ状に形成されているのがよい。勿論、糞尿受け容器４の形状、大きさは、特に限定されるものではなく、車内で用を足すときに糞尿を受けることができれば如何なる形状、大きさであってもよい。
【００１１】
５は上部を開閉できて糞尿受け容器４内に交換可能に収納できる紙製等の気密性を有する糞尿廃棄袋である。この糞尿廃棄袋５は、数時間等の適宜の時間が経過すると糞尿中の水分や、水洗トイレの洗浄水等によって溶けるものが使用されている。糞尿廃棄袋５の上部は、一例として巾着袋のように上部開口５ａを紐（図示省略）で閉じられるようにしてあり、使用後に上部開口５ａを閉じられるようにしてある。糞尿廃棄袋５の上端部分は、糞尿受け容器４内に設置した際に糞尿受け容器４の上端を被って、糞尿受け容器４の上端部分から外に少し出るくらいのものが糞尿受け容器４の上端部分を糞尿で汚すこともなく好ましい。また、上記した糞尿廃棄袋５の開閉構造は、例えば着脱テープやボタン等や、開口５ａの縁につけた接着剤によって、開口５ａを閉じられるようにしてもよい。また、この糞尿廃棄袋５は、上記したように水洗トイレに流すことができる素材によって形成されるのが好ましい。
【００１２】
６は糞尿廃棄袋５内に入れて糞尿の水分を吸収する吸収材である。また、この糞尿廃棄袋５内には、消臭材および／または芳香剤（図示省略）を入れておくことにより、車内で排尿、排便をした時に臭いが車内に漂っていやな思いをすることもなくなる。
【００１３】
このようにしてなる上記した簡易携帯用トイレ具を車内の適宜箇所に収納して常備しておくことにより、走行中に急に女性や子供が用を足したくなった時に取り出して、環状のカーテン支持レール１の中に、吸収材６や消臭材および／または芳香剤（図示省略）を備えた糞尿廃棄袋５を入れた糞尿受け容器４を置き、カーテン支持レール１の中に入って、お尻の下に糞尿受け容器４が位置するように調整する。このようにした後に、カーテン支持レール１を片手で持ちながら、或いは同乗者に持ってもらってカーテン２を閉じ、しゃがんだ下半身または全身をカーテン２で隠す。このようにした後に下着を下ろして糞尿廃棄袋５内に用を足す。
【００１４】
用を足した後は、糞尿廃棄袋５の上部開口５ａを閉じて糞尿受け容器４から取り出し、適当な袋等にしまって、下車後、水洗トイレに流したり、ゴミとしてごみ箱に廃棄すればよい。
【００１５】
また、車内で用を足した後は、カーテン２を開いてこのカーテン２を折り畳む。同様にカーテン支持レール１も図示のもののように折り畳めるのであれば折り畳んで、カーテン２とともに車内の適宜場所に保管しておけばよい。
【００１６】
また、使用済みの糞尿廃棄袋５等を取り出した糞尿受け容器４には、新しい糞尿廃棄袋５等を入れて、次の用を足すときに備えておけばよい。
【００１７】
なお、上記した消臭材（消臭剤を含む）としては、活性炭、木炭、竹炭等の多孔性の物理吸着脱臭材や、微生物による生物分解脱臭材が使用される。また、吸収材としては、石灰、パルプ粉砕物等が使用されている。また、吸水性樹脂あるいは多孔質あるポリプロピレン樹脂、ポリエチレン樹脂、またはナイロン樹脂、ビニロン樹脂等のプラスチック繊維製等からなる透水性多孔質材とポリエチレン樹脂、ポリプロピレン樹脂等の合成樹脂製の不透水性シート材との組み合わせからものなどを使用するも自由である。
【００１８】
【考案の効果】
このように、この考案の簡易携帯用トイレ具では、自動車内等で用を足すときにも、対向車等の車外の人や同乗者の目を気にすることなく用を足すことができる。また、用を足した後の糞尿の処理も、糞尿廃棄袋の口を閉じて容器から取り出すことにより、容易に衛生的に後処理をすることができる。
【図面の簡単な説明】
【図１】この考案の簡易携帯用トイレ具の使用状態を示す説明図である。
【図２】この考案のカーテン等の説明図である。
【図３】この考案に係る容器等の断面を示す説明図である。
【図４】図２の縦断面図である。
【符号の説明】
１　　　カーテン支持レール
２　　　カーテン
４　　　糞尿受け容器
５　　　糞尿廃棄袋
６　　　吸収材
【図１】
0003097934.tif 000003
【図２】
0003097934.tif 000004
【図３】
0003097934.tif 000005
【図４】
0003097934.tif 000006